(57)【要約】【課題】  光源部からの照射光を拡散させて眩しさを低減させることができ、同時に、拡散された透過光による装飾的効果を得ることのできる照明器具の提供を目的とする。【解決手段】  光源部２３を備えた器具本体２１と、光源部２３からの照射光を透過させる薄板状の第１透光部材３１と、第１透光部材３１に対して略一定の間隔を確保して配置され、第１透光部材３１からの透過光を更に透過させる薄板状の第２透光部材４１と、を備え、第１透光部材３と第２透光部材４１とは、表面に多角錐形状の凹部が複数形成されている照明器具とする。【選択図】図１
2010205508.tif 000002
【特許請求の範囲】
【請求項１】
照明器具であって、
光源部を備えた器具本体と、
前記光源部からの照射光を透過させる薄板状の第１透光部材と、
前記第１透光部材に対して略一定の間隔を確保して配置され、前記第１透光部材からの透過光を更に透過させる薄板状の第２透光部材と、を備え、
前記第１透光部材と前記第２透光部材とは、表面に多角錐形状の凹部が複数形成されていることを特徴とする照明器具。
【請求項２】
前記第１透光部材は、前記光源部を包囲する球面状の第１透光面を備えており、
前記第２透光部材は、前記光源部と前記第１透光部材とを包囲する球面状の第２透光面を備えていることを特徴とする請求項１に記載の照明器具。
【請求項３】
前記第１透光部材は、前記光源部に近接する位置に配置される平面状の第３透光面を備えており、
前記第２透光部材は、前記第１透光部材に対して略平行に配置される平面状の第４透光面を備えていることを特徴とする請求項１に記載の照明器具。
【発明の詳細な説明】
【技術分野】
【０００１】
本発明は、照明器具に関する。
【背景技術】
【０００２】
従来、光源部を覆うセードやパネルを備えた照明器具は公知である。セードやパネルにより、光源部からの照射光を拡散させて眩しさを低減させることができ、同時に、拡散された照射光により装飾的効果を得ることもできる。
【０００３】
特許文献１には、無色又は有色ガラスの表面に回折格子を施し、装飾効果を持たせた照明器具が開示されている。しかしながら、特許文献１の照明器具のセードは、１重のガラスの表面に回折格子を施して、照射光をスペクトルに回折させて装飾効果を得るものである。
【０００４】
一方、セードが２重に構成された照明器具も公知である。特許文献２には、セードが半透明部材と透光部材とで２重に構成された照明器具が開示されている。特許文献２記載の照明器具は、光源部の近くに配設された透光部材に虫やほこりが溜まっても、半透明部材は透光部材から離れているため、光源部からの光の回り込みにより、虫やほこりの影が薄められ、半透明部材の影が目立ちにくくなる。また、照明器具の中心に近づくほど、半透明部材と透光部材との距離が広がり、虫やほこりの影が薄められる。しかしながら、特許文献１の照明器具は、虫やほこりの影を目立ちにくくするための技術であり、拡散された照射光による装飾的効果を狙ったものではない。また、半透明部材と透光部材との距離が一定ではないため、中央付近と周縁部とでは照射光の見え方が異なる。
【先行技術文献】
【特許文献】
【０００５】
【特許文献１】実開昭５０−６９４９０号公報
【特許文献２】実公平５−７６９１号公報
【発明の概要】
【発明が解決しようとする課題】
【０００６】
本発明は、上記課題を解決すべくなされたものであり、光源部からの照射光を拡散させて眩しさを低減させることができ、同時に、拡散された透過光による装飾的効果を得ることのできる照明器具の提供を目的とする。
【課題を解決するための手段】
【０００７】
本発明の解決しようとする課題は以上の如くであり、次にこの課題を解決するための手段を説明する。
【０００８】
即ち、第１の発明は、照明器具であって、
光源部を備えた器具本体と、
前記光源部からの照射光を透過させる薄板状の第１透光部材と、
前記第１透光部材に対して略一定の間隔を確保して配置され、前記第１透光部材からの透過光を更に透過させる薄板状の第２透光部材と、を備え、
前記第１透光部材と前記第２透光部材とは、表面に多角錐形状の凹部が複数形成されていることを特徴とする照明器具とする。
【０００９】
第２の発明は、第１の発明において、
前記第１透光部材は、前記光源部を包囲する球面状の第１透光面を備えており、
前記第２透光部材は、前記光源部と前記第１透光部材とを包囲する球面状の第２透光面を備えていることを特徴とする照明器具とする。
【００１０】
第３の発明は、第１の発明において、
前記第１透光部材は、前記光源部に近接する位置に配置される平面状の第３透光面を備えており、
前記第２透光部材は、前記第１透光部材に対して略平行に配置される平面状の第４透光面を備えていることを特徴とする照明器具とする。
【発明の効果】
【００１１】
本発明の効果として、以下に示すような効果を奏する。
【００１２】
第１の発明によれば、光源部からの照射光を透過させる薄板状の第１透光部材と、前記第１透光部材に対して略一定の間隔を確保して配置され、前記第１透光部材からの透過光を更に透過させる薄板状の第２透光部材と、を備え、前記第１透光部材と前記第２透光部材とは、表面に多角錐形状の凹部が複数形成されているため、第１透光部材の表面に形成された凹部によって拡散された透過光が、第２透光部材の表面に形成された凹部によって更に拡散され、光源部からの照射光を拡散させて眩しさを低減させることができる。
また、第１透光部材の表面に形成された多角錐形状の凹部により、光源部の照射光が複数に拡散されて透過し、複数に拡散して透過した透過光が、第２透光部材の表面に形成された多角錐形状の凹部により、更に複数に拡散されて透過するため、多数の拡散された透過光が第２透光部材の表面に現れることとなり、拡散された透過光による装飾的効果を得ることができる。
また、第１透光部材と第２透光部材は、略一定の間隔を確保して配置されているため、透過光は、第１透光部材と第２透光部材とで一定に拡散されるため、第２透光部材の部位に関わらず、拡散された透過光による装飾的効果を得ることができる。
【００１３】
第２の発明によれば、前記第１透光部材は、前記光源部を包囲する球面状の第１透光面を備えており、前記第２透光部材は、前記光源部と前記第１透光部材とを包囲する球面状の第２透光面を備えているため、第１透光部材と第２透光部材とで拡散された多数の透過光が、球面状の第２透光部材の表面に現れることとなり、拡散された透過光による装飾的効果を得ることができる。
【００１４】
第３の発明によれば、前記第１透光部材は、前記光源部に近接する位置に配置される平面状の第３透光面を備えており、前記第２透光部材は、前記第１透光部材に対して略平行に配置される平面状の第４透光面を備えているため、第１透光部材と第２透光部材とで拡散された多数の透過光が、平面状の第２透光部材の表面に現れることとなり、拡散された透過光による装飾的効果を得ることができる。
【図面の簡単な説明】
【００１５】
【図１】本発明の第１の実施形態に係る照明器具１１の一部を破断した全体側面図。
【図２】照明器具１１の平面図。
【図３】器具本体２１と接続部材５１とを示す斜視図。
【図４】器具本体２１、接続部材５１、セードＳを示す斜視図。
【図５】図２の５−５線で切断した断面図。
【図６】図２の６−６線で切断した断面図。
【図７】照明器具１１を点灯させた状態の正面図。
【図８】本発明の第２の実施形態に係る照明器具１１１の一部を破断した全体側面図。
【図９】丸型の２重のパネルＰを有する照明器具２１１の斜視図。
【図１０】角型の２重のパネルＰを有する照明器具２１１の斜視図。
【発明を実施するための形態】
【００１６】
本発明の第１の実施の形態に係る照明器具１１を図面に沿って説明する。以下の説明では、上下方向は、天井に設置された状態における上下方向として説明する。
【００１７】
図１は、本発明の第１の実施形態に係る照明器具１１の一部を破断した全体側面図であり、図２は、照明器具１１の平面図である。図１、図２に示すように、照明器具１１は、吊り下げ型の照明器具１１であり、主として器具本体２１、セードＳ、接続部材５１、取付部６１、吊下部材７１、を備えている。器具本体２１は、光源部としてのＬＥＤ２３を備えており、セードＳは、内側に配置されてＬＥＤ２３を包囲する略球面状の第１透光部材３１と、第１透光部材３１の外側に配置される略球面状の第２透光部材４１とを備えている。接続部材５１は、器具本体２１と、セードＳとを接続するものである。器具本体２１、セードＳ、接続部材５１の各寸法は、図１に示すように、ＬＥＤ２３がセードＳの略中央に位置するとともに、器具本体２１の上部の高さ位置がセードＳ上部の高さ位置と略一致するように決定される。
【００１８】
取付部６１は器具本体２１に電気を供給するとともに、照明器具１１を天井等に固定するものである。取付部６１には、天井等に設けられた配線器具（図示せず）に接続される接続器具（図示せず）が設けられ、接続器具からは器具本体２１に電気を供給する電源コード（図示せず）が配線されている。吊下部材７１は、取付部６１と器具本体２１とを接続して、照明器具１１を天井等から吊り下げる部材である。吊下部材７１には、電源コードが内包されており、電源コードの一端部は器具本体２１に接続され、他端部は、取付部６１の接続器具に接続されている。取付部６１に設けられた接続器具を天井等に設けられた配線器具に接続すると、接続器具と配線器具に電気的に接続されて、電源から電源コードを介して器具本体２１に電気が供給される。また、取付部６１が天井等に固定され、照明器具１１を天井等に吊り下げた状態で固定することができる。
【００１９】
器具本体２１について詳しく説明する。図３は、器具本体２１と接続部材５１とを示す斜視図である。器具本体２１は、主に器具主体２２、光源部としてのＬＥＤ２３、ＬＥＤ２３の点灯装置２４を備えている。器具主体２２は、板金を屈曲させて形成されており、本体基部２２１、本体基部２２１の両側に形成される側壁部２２２、側壁部２２２の下端部から側方に延設される脚部２２３、本体基部２２１から下方に向けて配設される光源支持部２２４とを備えている。本体基部２２１には、貫通孔が形成されており、吊下部が接続されるニップル２５が挿通される。ニップル２５の側面にはネジ山が形成されており、ニップル２５は上下のナットにより本体基部２２１に固定される。側壁部２２２及び脚部２２３は、接続部材５１に固定するための部材であり、脚部２２３には、接続部材５１にボルトで固定するための取付孔２２５が形成されている。光源支持部２２４は、ＬＥＤ２３と点灯装置２４とを支持する板状の部材であり、本体基部２２１の下面に２枚取り付けられている。各光源支持部２２４の下端部付近には、それぞれＬＥＤ２３が互いに反対方向に光を照射するように取り付けられており、各光源支持部２２４の中間付近には、各ＬＥＤ２３を点灯させるための点灯装置２４がそれぞれ取り付けられている。電源コードはニップル２５の内部を挿通して点灯装置２４と電気的に接続されており、また、点灯装置２４とＬＥＤ２３とは、電線（図示せず）によって電気的に接続されている。
【００２０】
次に、セードＳについて説明する。図４は、器具本体２１、接続部材５１、セードＳを示す斜視図である。図１、図４に示すように、セードＳは、器具本体２１のＬＥＤ２３を包囲する略球面状の透光部材であり、略球面状の第１透光部材３１と第２透光部材４１とを備えている。第１透光部材３１は、内側に配置され、ＬＥＤ２３からの照射光を透過させる。第２透光部材４１は、第１透光部材３１に対して略一定の間隔を確保して、第１透光部材３１の外側に配置され、第１透光部材３１からの透過光を更に透過させる。第１透光部材３１は、略半球面状の上部内セード３２と下部内セード３６とから構成され、第２透光部材４１は、略半球面状の上部外セード４２と下部外セード４５とから構成される。上部内セード３２、下部内セード３６、上部外セード４２、下部外セード４５は、いずれも表面に六角錐形状の凹部が隙間無く形成された薄板で形成されている。薄板として、例えば、旭化成テクノプラス社製デラプリズム（登録商標）Ｍシリーズ５Ｍを用いることができる。この薄板は、厚さ３ｍｍの透明のメタクリル樹脂製で、六角錐の形状は、対角線の長さが約７ｍｍ、深さ約１．５ｍｍである。尚、薄板の素材、厚さ、多角錐の形状や配置などはこれに限定されない。
【００２１】
上部内セード３２は、略球面状の第１透光部材３１の上側半分を構成するものであり、第１透光面としての上部内透光面３３と、上部内フランジ３４とを備えている。上部内透光面３３は略半球状であり、上部には器具本体２１を通過させるための第１挿通孔３５が形成されている。上部内透光面３３の下端部の周縁部には、半径方向外側に向けて上部内フランジ３４が設けられている。上部内フランジ３４には、接続部材５１に接続するための取付孔３４１が形成されている。取付孔３４１は２個１組であり、上部内フランジ３４の周方向に沿って角度１２０度間隔で等間隔に形成されている。
【００２２】
下部内セード３６は、略球面状の第１透光部材３１の下側半分を構成するものであり、第１透光面としての下部内透光面３７と、下部内フランジ３８とを備えている。下部内透光面３７は略半球状であり、下部内透光面３７の上端部の周縁部には、半径方向外側に向けて下部内フランジ３８が設けられている。下部内フランジ３８の外径は、上部内フランジ３４の外径と略同一である。下部内フランジ３８には、接続部材５１に接続するための取付孔３８１が形成されている。取付孔３８１は、上部内セード３２の取付孔３４１に対応する位置に形成されている。上部内セード３２の上部内フランジ３４と、下部内セード３６の下部内フランジ３８とを対向させて合わせると、上部内透光面３３と下部内透光面３７とで略球面状の透光面が形成される。
【００２３】
上部外セード４２は、略球面状の第２透光部材４１の上側半分を構成するものであり、第２透光面としての上部外透光面４３と、上部外フランジ４４とを備えている。上部外透光面４３は略半球状であり、上部には器具本体２１を通過させるための第２挿通孔４４１が形成されている。上部外透光面４３の下端部の周縁部には、半径方向内側に向けて上部外フランジ４４が設けられている。上部外フランジ４４の内径は、上部内フランジ３４の外径よりも大きくし、上部外フランジ４４と上部内フランジ３４との間に間隙が形成されるようにしている。
【００２４】
また、下部外セード４５は、略球面状の第２透光部材４１の下側半分を構成するものであり、第２透光面としての下部外透光面４６と、下部外フランジ４７とを備えている。下部外透光面４６は略半球状であり、下部外透光面４６の上端部の周縁部には、半径方向内側に向けて下部外フランジ４７が設けられている。下部外フランジ４７の内径は、下部内フランジ３８の外径よりも若干大きくして、下部外フランジ４７と下部内フランジ３８とが干渉しないようにしている。下部外フランジ４７には、接続部材５１に接続するための取付孔４７１が形成されている。取付孔４７１は２個１組であり、下部外フランジ４７の周方向に沿って角度１２０度間隔で等間隔に形成されている。また、取付孔４７１の間の中間位置には、後記ジョイントプレート５７を取り付けるための取付孔４７２が形成される。上部外セード４２の上部外フランジ４４と、下部外セード４５の下部外フランジ４７とを対向させて合わせると、上部外透光面４３と下部外透光面４６とで略球面状の透光面が形成される。
【００２５】
次に、接続部材５１について説明する。図１、図２、図３に示すように、接続部材５１は、第１透光部材３１と第２透光部材４１とを接続してセードＳを構成するとともに、セードＳと器具本体２１とを接続するものである。接続部材５１は、主としてジョイントリング５２、台座部５３、ジョイント棒５６、ジョイントプレート５７から構成されている。ジョイントリング５２は、板金で略円環状に形成されており、外径は、上部外フランジ４４の内径よりも若干小さく、かつ、下部外フランジ４７の内径よりも大きくしている。また、ジョイントリング５２の内径は、上部内セード３２及び下部内セード３６の内径よりも小さくしている。ジョイントリング５２の周縁部は上方に折り返されて接続部材５１の強度を確保している。ジョイントリング５２には、上部内フランジ３４の取付孔３４１（下部内フランジ３８の取付孔３８１）に対応する取付孔５２１と、下部外フランジ４７の取付孔４７１に対応する取付孔５２２と、取付孔４７２に取り付けられたボルト５２７の頭部を逃がすための逃がし孔５２３とが形成されている。
【００２６】
台座部５３は、器具本体２１を接続部材５１に取り付けるためのものであり、板金で形成されている。台座部５３の中央部には、ＬＥＤ２３、光源支持部２２４、点灯装置２４が通過可能な器具本体挿通孔５４が形成されている。器具本体挿通孔５４の側方には、器具本体２１の脚部２２３に形成された取付孔２２５に対応する位置に、取付孔５３１が形成されている。台座部５３の周縁部には、３枚の接続板５５が下方に向けて角度１２０度間隔で等間隔に形成されている。接続板５５には、それぞれジョイント棒５６の一端部が接続されており、各ジョイント棒５６の他端部は、ジョイントリング５２に接続されている。
【００２７】
図２、図４に示すように、ジョイントプレート５７は、板金で形成された板状部材であり、上部内フランジ３４の取付孔３４１（下部内フランジ３８の取付孔３８１、ジョイントリング５２の取付孔５２１）に対応するボルト５２５と、下部外フランジ４７の取付孔４７１（ジョイントリング５２の取付孔５２２）に対応するボルト５２６とが立設されており、また、取付孔４７２に対応する取付孔５２４が形成されている。取付孔５２４にはネジ山が形成されている。
【００２８】
次に、器具本体２１、接続部材５１、セードＳの組み付けについて説明する。図５は、図２の５−５線で切断した断面図、図６は、図２の６−６線で切断した断面図である。
【００２９】
図３に示すように、まず、接続部材５１に器具本体２１を取り付ける。台座部５３の器具本体挿通孔５４に、器具本体２１のＬＥＤ２３、光源支持部２２４、点灯装置２４を挿通させ、次いで、脚部２２３の取付孔２２５と台座部５３の取付孔５３１とにボルトを挿通させ、ナットで締結して接続部材５１に器具本体２１を取り付ける。
【００３０】
次に、ジョイントプレート５７を下部外セード４５に取り付ける。図４に示すように、ジョイントプレート５７に立設させたボルト５２６を下部外フランジ４７の取付孔４７１に挿通させるとともに（図５参照）、ボルト５２７を下部外フランジ４７の取付孔４７２に挿通させつつジョイントプレート５７の取付孔５２４に螺入して、ジョイントプレート５７を下部外セード４５に取り付ける。
【００３１】
次に、ジョイントリング５２に下部内セード３６を取り付ける。ジョイントプレート５７に立設させたボルト５２５を下部内フランジ３８の取付孔３８１と、ジョイントリング５２の取付孔５２１に挿通させるとともに、ジョイントプレート５７に立設させたボルト５２６をジョイントリング５２の取付孔５２２に挿通させる（図５参照）。このとき、下部外フランジ４７上に突出しているボルト５２７の頭部は、ジョイントリング５２の逃がし孔５２３に嵌るため、ボルト５２７の頭部とジョイントリング５２とが干渉しない（図６参照）。ジョイントリング５２の取付孔５２２から突出しているボルト５２６にナット５２８を取り付けて、ジョイントリング５２に下部外セード４５が取り付けられる（図５参照）。
【００３２】
次に、ジョイントリング５２に上部内セード３２を取り付ける。図４に示すように、器具本体２１を上部内セード３２の第１挿通孔３５に挿通させ、続いてジョイントリング５２の取付孔５２１から突出しているボルト５２５に、上部内フランジ３４の取付孔３４１を挿通させる。取付孔３４１から突出しているボルト５２５にナット５２９を取り付けて、ジョイントリング５２に上部内セード３２が取り付けられる（図５参照）。
【００３３】
最後に、上部外セード４２を取り付ける。図４に示すように、器具本体２１を上部外セード４２の第２挿通孔４４１に挿通させ、上部外フランジ４４を下部外セード４５の下部外フランジ４７上に載置する。このとき、上部外フランジ４４と上部内フランジ３４との間に間隙が形成され、この間隙にジョイントリング５２の端部が位置するため、ジョイントリング５２の端部と上部外フランジ４４とが干渉しない（図５参照）。そして、第２挿通孔４４１から突出している器具本体２１のニップル２５に固定板２６を挿通させ、ナット２７を取り付けることにより、上部外セード４２が取り付けられ、器具本体２１、接続部材５１、セードＳの組み付けが完了する。
【００３４】
以上説明した第１の実施の形態に係る照明器具１１によれば、次のような効果を有する。
【００３５】
ＬＥＤ２３からの照射光を透過させる薄板状の第１透光部材３１と、第１透光部材３１に対して略一定の間隔を確保して配置され、第１透光部材３１からの透過光を更に透過させる薄板状の第２透光部材４１と、を備え、第１透光部材３１と第２透光部材４１とは、表面に六角錐形状の凹部が複数形成されているため、第１透光部材３１の表面に形成された凹部によって拡散された透過光が、第２透光部材４１の表面に形成された凹部によって更に拡散され、光源部からの照射光を拡散させて眩しさを低減させることができる。
【００３６】
また、第１透光部材３１は、ＬＥＤ２３を包囲する球面状の第１透光面を備えており、第２透光部材４１は、ＬＥＤ２３と第１透光部材３１とを包囲する球面状の第２透光面を備えているため、図７に示すように、第１透光部材３１と第２透光部材４１とで拡散された多数の透過光が、球面状の第２透光部材４１の表面に現れることとなる。つまり、第１透光部材３１と第２透光部材４１には、それぞれ六角錐形状の凹部が複数形成されているため、第１透光部材３１においてＬＥＤ２３の照射光が６個に拡散して見えることとなり、更にその拡散した透過光が、第２透光部材４１においてそれぞれ６個に拡散して見えることとなるため、合計で３６個の透過光に拡散して見えることとなる。このため、拡散された透過光による装飾的効果を得ることができる。
【００３７】
また、第１透光部材３１と第２透光部材４１は、略一定の間隔を確保して配置されているため、透過光は、第１透光部材３１と第２透光部材４１とで一定に拡散されることとなり、第２透光部材４１の部位に関わらず、拡散された透過光による装飾的効果を得ることができる。
【００３８】
次に、本発明の第２の実施の形態に係る照明器具１１１を図面に沿って説明する。図８に示すように、本実施形態に係る照明器具１１１は、セードＳが３重に構成されている点が第１の実施の形態に係る照明器具１１と大きく異なっている。
【００３９】
照明器具１１１のセードＳは、器具本体２１のＬＥＤ２３を包囲する略球面状の透光部材であり、略球面状の第１透光部材３１と第２透光部材４１と第３透光部材８１とを備えている。第１透光部材３１は、内側に配置され、ＬＥＤ２３からの照射光を透過させる。第２透光部材４１は、第１透光部材３１に対して略一定の間隔を確保して、第１透光部材３１の外側に配置され、第１透光部材３１からの透過光を更に透過させる。第３透光部材８１は、第２透光部材４１に対して略一定の間隔を確保して、第２透光部材４１の外側に配置され、第２透光部材４１からの透過光を更に透過させる。第１透光部材３１と第２透光部材４１と第３透光部材８１は、いずれも表面に六角錐形状の凹部が隙間無く形成された薄板で形成されている。
【００４０】
次に、器具本体２１、接続部材５１、セードＳの組み付けについて説明する。本実施形態に係る第２透光部材４１と第３透光部材８１は、実質的に、第１の実施形態に係る第１透光部材３１と第２透光部材４１と同様であり、組み付けも同様である。本実施形態の場合、まず、第１透光部材３１を接続部材５１に組み付けておき、その後に、第２透光部材４１、第３透光部材８１を組み付けることで、器具本体２１、接続部材５１、セードＳを組み付けることができる。
【００４１】
以上説明した第２の実施の形態に係る照明器具１１１によれば、次のような効果を有する。
【００４２】
第１透光部材３１の表面に形成された凹部によって拡散された透過光が、第２透光部材４１の表面に形成された凹部によって拡散され、更に、第３透光部材８１の表面に形成された凹部によって拡散されるため、光源部からの照射光を拡散させて眩しさを低減させることができる。
【００４３】
また、第１透光部材３１と第２透光部材４１と第３透光部材８１には、それぞれ六角錐形状の凹部が複数形成されているため、第１透光部材３１においてＬＥＤ２３の照射光が６個に拡散して見えることとなり、その拡散した透過光が、第２透光部材４１においてそれぞれ６個に拡散して見えることとなり、更にその拡散した透過光が、第３透光部材８１においてそれぞれ６個に拡散して見えることとなるため、計算上は合計で２１６個の透過光に拡散して見えることとなるが、実際は重なって拡散するため、判別できない程度に拡散して見える。このため、拡散された透過光による装飾的効果を得ることができる。
【００４４】
次に、本発明の第３の実施の形態に係る照明器具２１１を図面に沿って説明する。図９は、丸型の２重のパネルＰを有する照明器具２１１の斜視図、図１０は、角型の２重のパネルＰを有する照明器具２１１の斜視図である。図９、図１０に示すように、本実施形態に係る照明器具２１１は、セードＳの代わりにパネルＰが２重に構成されている点が第１の実施の形態に係る照明器具１１と大きく異なっている。
【００４５】
器具本体２１は、直接天井等に固定されるものであり、天井等に設けられた配線器具（図示せず）に電気的に接続される。器具本体２１には、光源部としてのＬＥＤ２３が下向きに１個取り付けられている。第１透光部材３１は、ＬＥＤ２３に近接する位置に配置される平面状の第３透光面９１を備えており、第２透光部材４１は、第１透光部材３１に対して略平行に配置される平面状の第４透光面９２を備えている。
【００４６】
第１透光部材３１と第２透光部材４１は、いずれも表面に六角錐形状の凹部が隙間無く形成された薄板で形成されている。第１透光部材３１と第２透光部材４１の形状は、図９に示すように、丸型でもよく、図１０に示すように、角型であってもよい。また、その他の形状であってもよい。尚、第１透光部材３１と第２透光部材４１は、器具本体２１に設けられる支柱１０１に固定される。
【００４７】
以上説明した第３の実施の形態に係る照明器具２１１によれば、次のような効果を有する。
【００４８】
第１透光部材３１は、光源部に近接する位置に配置される平面状の第３透光面９１を備えており、第２透光部材４１は、第１透光部材３１に対して略平行に配置される平面状の第４透光面９２を備えているため、第１透光部材３１と第２透光部材４１とで拡散された多数の透過光が、平面状の第２透光部材４１の表面に現れることとなり、拡散された透過光による装飾的効果を得ることができる。
【００４９】
以上、本発明の実施の形態について説明したが、本発明は上記実施の形態に限定されるものではなく、様々な変更が可能である。例えば、透光部材を構成する薄板は、厚さ３ｍｍの透明のメタクリル樹脂製で、六角錐の形状は、対角線の長さが約７ｍｍ、深さ約１．５ｍｍとしたが、薄板の素材、厚さ、多角錐の形状や配置などはこれに限定されない。多角錐形状の凹部を形成する表面は、光源部側の面としてもよく、反対側の面としてもよい。
【００５０】
また、光源部は点光源としたが、線光源であってもよい。
【００５１】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【符号の説明】
【００５２】
１１        照明器具
２１        器具本体
２２        器具主体
２３        ＬＥＤ
２４        点灯装置
２２１      本体基部
２２２      側壁部
２２３      脚部
２２４      光源支持部
２２５      取付孔
２５        ニップル
Ｓ          セード
３１        第１透光部材
３２        上部内セード
３３        上部内透光面
３４        上部内フランジ
３４１      取付孔
３５        第１挿通孔
３６        下部内セード
３７        下部内透光面
３８        下部内フランジ
３８１      取付孔
４１        第２透光部材
４２        上部外セード
４３        上部外透光面
４４        上部外フランジ
４４１      第２挿通孔
４５        下部外セード
４６        下部外透光面
４７        下部外フランジ
４７１      取付孔
４７２      取付孔
５１        接続部材
５２        ジョイントリング
５３        台座部
５４        器具本体挿通孔
５５        接続板
５６        ジョイント棒
５７        ジョイントプレート
５２１      取付孔
５２２      取付孔
５２３      逃がし孔
５２４      取付孔
５２５      ボルト
５２６      ボルト
５３１      取付孔
６１        取付部
７１        吊下部材
８１        第３透光部材
９１        第３透光面
９２        第４透光面
１０１      支柱
【図１】
2010205508.tif 000003
【図２】
2010205508.tif 000004
【図３】
2010205508.tif 000005
【図４】
2010205508.tif 000006
【図５】
2010205508.tif 000007
【図６】
2010205508.tif 000008
【図８】
2010205508.tif 000009
【図９】
2010205508.tif 000010
【図１０】
2010205508.tif 000011
【図７】
2010205508.tif 000012